(57)【特許請求の範囲】
【請求項１】
角部が面取り状である矩形状の光電変換部と、前記光電変換部の一主面の上に配された電極とを有する太陽電池セルであって、
前記一主面は、第１の方向において前記面取り状角部が設けられている端部と、前記第１の方向において前記面取り状角部よりも中央側に位置している中央部とを含み、
前記電極は、
前記中央部に設けられており、前記第１の方向に対して垂直な第２の方向に沿って延びる複数の線状電極部と、
前記端部に設けられており、前記第２の方向に沿って延びる上底部及び下底部と、前記上底部の端部と前記下底部の端部とを接続しており、前記面取り状角部の端辺に沿って延びる一対の斜辺部とを含む台形状電極部と、
前記第１の方向に沿って設けられた複数の太陽電池セルを電気的に接続する配線材と少なくとも前記端部で接続され、前記複数の線状電極部、前記上底部及び前記下底部と直接接続されている少なくともひとつのバスバー部とを有し、
前記斜辺部は前記バスバー部と直接接続されていない、太陽電池セル。
【請求項２】
前記バスバー部は、前記端部から前記中央部にわたり一体的な矩形形状を有する、請求項１記載の太陽電池セル。
【請求項３】
前記台形状電極部は、前記第１の方向において前記上底部と前記下底部との間に位置しており、前記一対の斜辺部間を接続している線状の電極部をさらに含む、請求項１または２に記載の太陽電池セル。
【請求項４】
前記電極は、前記台形状電極部を複数含む、請求項１〜３のいずれか一項に記載の太陽電池セル。
【請求項５】
前記一主面と前記電極との間において、前記一主面の端縁部を除いた部分を覆うように設けられている面状の透明導電膜をさらに備える、請求項１〜４のいずれか一項に記載の太陽電池セル。
【請求項６】
前記複数の線状電極部は、前記透明導電膜の端辺に至るように設けられている、請求項５に記載の太陽電池セル。
【請求項７】
前記電極は、前記上底部及び前記下底部の少なくとも一方の端部から前記第２の方向に沿って延び、前記透明導電膜の端辺に至る電極部をさらに有する請求項５または６に記載の太陽電池セル。
【請求項８】
前記一主面は、受光面である、請求項１〜７のいずれか一項に記載の太陽電池セル。
【請求項９】
請求項１〜８のいずれか一項に記載の複数の太陽電池セルと、
前記複数の太陽電池セルを電気的に接続している配線材と、
を備え、
前記配線材は、前記複数の線状電極部と交差するように配されている、太陽電池モジュール。
【発明の詳細な説明】
【技術分野】
【０００１】
本発明は太陽電池セル及び太陽電池モジュールに関する。
【背景技術】
【０００２】
近年、環境負荷が低いエネルギー源として、太陽電池セルが大いに注目されている。太陽電池セルは、受光することにより電子や正孔などのキャリアを生成させる光電変換部と、光電変換部において生成したキャリアを収集する電極とを有している。このキャリアを収集するための電極としては、例えば、下記の特許文献１などに記載されているように、光電変換部の主面上において、一の方向に沿って延び、一の方向に垂直な他の方向に沿って配列された直線状の複数のフィンガー電極部と、それら複数のフィンガー電極を電気的に接続しているバスバー部とを含む電極が広く用いられている。
【先行技術文献】
【特許文献】
【０００３】
【特許文献１】特開２０１０−１８６８６２号公報
【発明の概要】
【発明が解決しようとする課題】
【０００４】
近年、太陽電池セルの光電変換効率をさらに高めたいという要望が高まってきている。
【０００５】
本発明は、かかる点に鑑みてなされたものであり、その目的は、向上された光電変換効率を有する太陽電池セル及び太陽電池モジュールを提供することにある。
【課題を解決するための手段】
【０００６】
本発明に係る太陽電池セルは、角部が面取り状である矩形状の光電変換部と、電極とを有する。電極は、光電変換部の一主面の上に配されている。光電変換部の一主面は、第１の方向において面取り状角部が設けられている端部と、第１の方向において面取り状角部よりも中央側に位置している中央部とを含む。電極は、複数の線状電極部と、台形状電極部とを含む。複数の線状電極部は、中央部に設けられている。複数の線状電極部は、第１の方向に対して垂直な第２の方向に沿って延びている。台形状電極部は、端部に設けられている。台形状電極部は、上底部及び下底部と、一対の斜辺部とを含む。上底部及び下底部は、第２の方向に沿って延びている。一対の斜辺部は、上底部の端部と下底部の端部とを接続している。一対の斜辺部は、面取り状角部の端辺に沿って延びている。
【０００７】
本発明に係る太陽電池モジュールは、複数の上記本発明に係る太陽電池セルと、配線材とを備えている。配線材は、複数の太陽電池セルを電気的に接続している。配線材は、複数の線状電極部と交差するように配されている。
【発明の効果】
【０００８】
本発明によれば、向上された光電変換効率を有する太陽電池セル及び太陽電池モジュールを提供することができる。
【図面の簡単な説明】
【０００９】
【図１】第１の実施形態に係る太陽電池セルの受光面の略図的平面図である。
【図２】第１の実施形態における太陽電池セルの裏面の略図的平面図である。
【図３】図１の線ＩＩＩ−ＩＩＩに示す部分の略図的断面図である。
【図４】第１の比較例における太陽電池セルの受光面の一部分を拡大した模式的拡大平面図である。
【図５】第１の実施形態における太陽電池セルの受光面の一部分Ｖを拡大した模式的拡大平面図である。
【図６】第１の変形例に係る太陽電池セルの受光面の略図的平面図である。
【図７】第２の変形例に係る太陽電池セルの受光面の略図的平面図である。
【図８】第２の実施形態に係る太陽電池セルの受光面の略図的平面図である。
【図９】第２の比較例における太陽電池セルの受光面の一部分を拡大した模式的拡大平面図である。
【図１０】第２の実施形態における太陽電池セルの受光面の一部分を拡大した模式的拡大平面図である。
【図１１】第３の変形例に係る太陽電池セルの受光面の略図的平面図である。
【図１２】第３の実施形態に係る太陽電池モジュールの略図的断面図である。
【発明を実施するための形態】
【００１０】
以下、本発明を実施した好ましい形態の一例について説明する。但し、以下の実施形態は、単なる例示である。本発明は、以下の実施形態に何ら限定されない。
【００１１】
また、実施形態等において参照する各図面において、実質的に同一の機能を有する部材は同一の符号で参照することとする。また、実施形態等において参照する図面は、模式的に記載されたものであり、図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００１２】
（第１の実施形態）
図１は、第１の実施形態に係る太陽電池セルの受光面の略図的平面図である。図２は、第１の実施形態における太陽電池セルの裏面の略図的平面図である。図３は、図１の線ＩＩＩ−ＩＩＩに示す部分の略図的断面図である。
【００１３】
まず、図１〜図３を参照しながら、本実施形態に係る太陽電池セル１０の構成について説明する。太陽電池セル１０は、光電変換部２０を有する。光電変換部２０は、受光することによって電子や正孔などのキャリアを生成させる部材である。光電変換部２０は、例えば、一の導電型を有する結晶性半導体基板を有し、ｐｎ接合、ｐｉｎ接合等の半導体接合を有するものであってもよい。また、光電変換部２０は、一の導電型を有する結晶性半導体基板と、その結晶性半導体基板の一主面上に配されており、他の導電型を有する第１の非晶質半導体層と、結晶性半導体基板の他の主面上に配されており、一の導電型を有する第２の非晶質半導体層とを有するものであってもよい。また、光電変換部２０は、ｎ型ドーパント拡散領域とｐ型ドーパント拡散領域とが表面に露出している半導体基板を有するものであってもよい。
【００１４】
光電変換部２０は、４つの角部のそれぞれが面取り状である矩形状である。光電変換部２０は、面取り状の角部２０Ａ〜２０Ｄを有する。すなわち、光電変換部２０の受光面２０ａ及び裏面２０ｂのそれぞれは、４つの角部のそれぞれが面取り状の矩形状である。
【００１５】
受光面２０ａは、ｘ方向において、面取り状角部２０Ａ，２０Ｂが設けられている第１の端部２０ａ２と、面取り状角部２０Ｃ，２０Ｄが設けられている第２の端部２０ａ３と、面取り状角部２０Ａ〜２０Ｄよりも中央側に位置している中央部２０ａ１を含む。同様に、裏面２０ｂも、第１及び第２の端部並びに中央部を含んでいる。
【００１６】
受光面２０ａの上には、面状の透明導電膜（ＴＣＯ：Ｔｒａｎｓｐａｒｅｎｔ  Ｃｏｎｄｕｃｔｉｖｅ  Ｏｘｉｄｅ）２５ａが設けられている。受光面２０ａの端縁部を除いた部分は、この透明導電膜２５ａにより覆われている。同様に、裏面２０ｂの上には、面状の透明導電膜２５ｂが設けられている。裏面２０ｂの端縁部を除いた部分は、この透明導電膜２５ｂにより覆われている。これら透明導電膜２５ａ、２５ｂは、下記の電極２１ａ、２１ｂによる集電を補助する機能を有している。透明導電膜２５ａ、２５ｂを設けることにより、生成したキャリアが再結合する前に効率的に電極２１ａ、２１ｂに収集される。従って、より改善された光電変換効率を実現することができる。
【００１７】
なお、透明導電膜２５ａ、２５ｂは、例えば、ＩＴＯ（Ｉｎｄｉｕｍ  Ｔｉｎ  Ｏｘｉｄｅ）などにより形成することができる。透明導電膜２５ａ、２５ｂの厚みは、例えば、５０ｎｍ〜１５０ｎｍ度とすることができる。
【００１８】
受光面２０ａの上には、電極２１ａが配されている。詳細には、この電極２１ａは、受光面２０ａの上に設けられた透明導電膜２５ａの上に配されている。一方、裏面２０ｂの上には、電極２１ｂが配されている。詳細には、この電極２１ｂは、裏面２０ｂの上に設けられた透明導電膜２５ｂの上に配されている。
【００１９】
電極２１ａ、２１ｂの材質は、導電材料である限りにおいて特に限定されない。電極２１ａ、２１ｂのそれぞれは、例えば、銀、銅、アルミニウム、チタン、ニッケル、クロムなどの金属や、それらの金属のうちの一種以上を含む合金により構成することができる。また、電極２１ａ、２１ｂは、例えば、上記金属や合金からなる複数の導電層の積層体により構成されていてもよい。
【００２０】
電極２１ａ、２１ｂの形成方法は、特に限定されない。電極２１ａ，２１ｂは、例えば、Ａｇペースト等の導電性ペーストを用いて形成することができる。また、電極２１ａ，２１ｂは、例えば、スパッタ法、蒸着法、スクリーン印刷法或いはメッキ法等を用いて形成することができる。
【００２１】
なお、本実施形態においては、電極２１ｂは、電極２１ｂと実質的に同様の構成を有する。このため、ここでは、電極２１ａの構成について詳細に説明する。電極２１ｂについては、電極２１ａに関する説明を援用することとする。
【００２２】
電極２１ａは、複数の線状電極部３１と、台形状電極部３２ａ、３２ｂと、複数のバスバー部３３とを含む。複数の線状電極部３１のそれぞれは、中央部２０ａ１に配されている。複数の線状電極部３１のそれぞれは、ｙ方向に対して垂直なｘ方向に沿って延びている。複数の線状電極部３１は、ｙ方向に沿って配列されている。複数の線状電極部３１は、互いに平行である。
【００２３】
台形状電極部３２ａは、第１の端部２０ａ２に配されている。台形状電極部３２ａは、上底部３２ａ１と、下底部３２ａ２と、一対の斜辺部３２ａ３，３２ａ４とを含む。上底部３２ａ１及び下底部３２ａ２のそれぞれは、ｘ方向に沿って延びている。上底部３２ａ１は、ｙ方向において相対的に外側に位置しており、下底部３２ａ２がｙ方向において相対的に内側に位置している。上底部３２ａ１の方が、下底部３２ａ２よりも短い。一対の斜辺部３２ａ３，３２ａ４のそれぞれは、上底部３２ａ１の端部と、下底部３２ａ２の端部とを接続している。一対の斜辺部３２ａ３，３２ａ４は、面取り状角部２０Ａ、２０Ｂの端辺に沿って延びている。すなわち、斜辺部３２ａ３，３２ａ４は、ｘ方向及びｙ方向のそれぞれに対して傾斜した方向に延びている。本実施形態では、斜辺部３２ａ３，３２ａ４と、ｘ方向及びｙ方向のそれぞれとのなす角の大きさは、約４５°である。
【００２４】
台形状電極部３２ａは、線状電極部３２ａ５をさらに含んでいる。線状電極部３２ａ５は、ｙ方向において上底部３２ａ１と下底部３２ａ２との間に位置している。線状電極部３２ａ５は、ｘ方向に沿って延びている。線状電極部３２ａ５は、一対の斜辺部３２ａ３，３２ａ４の途中部間を接続している。
【００２５】
台形状電極部３２ｂは、第２の端部２０ａ３に配されている。台形状電極部３２ｂは、上底部３２ｂ１と、下底部３２ｂ２と、一対の斜辺部３２ｂ３，３２ｂ４とを含む。上底部３２ｂ１及び下底部３２ｂ２のそれぞれは、ｘ方向に沿って延びている。上底部３２ｂ１は、ｙ方向において相対的に外側に位置しており、下底部３２ｂ２がｙ方向において相対的に内側に位置している。上底部３２ｂ１の方が、下底部３２ｂ２よりも短い。一対の斜辺部３２ｂ３，３２ｂ４のそれぞれは、上底部３２ｂ１の端部と、下底部３２ｂ２の端部とを接続している。一対の斜辺部３２ｂ３，３２ｂａ４は、面取り状角部２０Ｃ、２０Ｄの端辺に沿って延びている。すなわち、斜辺部３２ｂ３，３２ｂ４は、ｘ方向及びｙ方向のそれぞれに対して傾斜した方向に延びている。本実施形態では、斜辺部３２ｂ３，３２ｂ４と、ｘ方向及びｙ方向のそれぞれとのなす角の大きさは、約４５°である。
【００２６】
台形状電極部３２ｂは、線状電極部３２ｂ５をさらに含んでいる。線状電極部３２ｂ５は、ｙ方向において上底部３２ｂ１と下底部３２ｂ２との間に位置している。線状電極部３２ｂ５は、ｘ方向に沿って延びている。線状電極部３２ｂ５は、一対の斜辺部３２ｂ３，３２ｂ４の途中部間を接続している。
【００２７】
なお、本発明において、「台形」には、矩形が含まれるものとする。
【００２８】
上記線状電極部３１，３２ａ５，３２ｂ５、上底部３２ａ１，３２ｂ１、下底部３２ａ２，３２ｂ２及び斜辺部３２ａ３，３２ａ４，３２ｂ３．３２ｂ４のそれぞれの幅は、特に限定されないが、例えば、５０μｍ〜２００μｍ程度とすることができる。線状電極部３１，３２ａ５，３２ｂ５、上底部３２ａ１，３２ｂ１及び下底部３２ａ２，３２ｂ２のそれぞれの幅は、相互に異なっていてもよいし、同じであってもよい。ｙ方向において隣り合う線状電極部３１の間隔は、特に限定されないが、例えば、１ｍｍ〜３ｍｍ度とすることができる。
【００２９】
複数のバスバー部３３は、ｙ方向に沿って延びている。複数のバスバー部３３は、ｘ方向に沿って配列されている。複数のバスバー部３３のそれぞれは、複数の線状電極部３１、上底部３２ａ１，３２ｂ１及び下底部３２ａ２，３２ｂ２と、線状電極部３２ａ５，３２ｂ５とに電気的に接続されている。
【００３０】
なお、本実施形態では、電極２１ａが２本のバスバー部３３を含む例について説明した。但し、本発明は、この構成に限定されない。本発明では、電極は、バスバー部を含んでいなくてもよいし、１本または３本以上のバスバー部を含んでいてもよい。バスバー部３３の幅は、特に限定されないが、例えば、０．５ｍｍ〜２ｍｍ程度とすることができる。
【００３１】
また、本実施形態では、バスバー部３３は、直線状であるが、本発明において、バスバー部は直線状でなくてもよい。バスバー部は、例えば、ジグザグ状に設けられていてもよい。
【００３２】
ところで、例えば、台形状電極部を設けずに、第１及び第２の端部の上にも複数の線状電極部を形成することも考えられる。すなわち、電極を複数の線状電極部のみ、または複数の線状電極部及びバスバー部により構成することも考えられる。しかしながら、その場合は、光電変換効率の面取り状角部における集電抵抗が高くなる。従って、光電変換効率が低くなる。以下、この理由について、図４を参照しながら説明する。
【００３３】
例えば、端部においても、台形状電極部が設けられておらず、複数の線状電極部１３１が設けられている場合は、受光面１２０ａのうち、ｙ方向において線状電極部１３１と近接していない非近接領域１２０ａ２１において生じたキャリア１００が線状電極部１３１により収集されるまでに移動しなければならない距離が長い。このため、非近接領域１２０ａ２１における集電抵抗が大きくなる。その結果、光電変換効率が低くなる。
【００３４】
それに対して、本実施形態では、端部２０ａ２，２０ａ３に、台形状電極部３２ａ、３２ｂが設けられている。台形状電極部３２ａ、３２ｂは、斜辺部３２ａ３，３２ａ４，３２ｂ３，３２ｂ４を含む。そして、斜辺部３２ａ３，３２ａ４，３２ｂ３，３２ｂ４は、面取り状角部２０Ａ〜２０Ｄの端辺に沿って延びている。従って、図５に示すように、領域２０ａ２１において生じたキャリア３５は、斜辺部３２ａ３，３２ａ４，３２ｂ３，３２ｂ４により収集される。このため、キャリア３５が電極２１ａにより収集されるまでに移動しなければならない距離が短い。よって、領域２０ａ２１における集電抵抗を低減することができる。従って、光電変換効率を改善することができる。
【００３５】
また、本実施形態では、台形状電極部３２ａ、３２ｂの内部に線状電極部３２ａ５，３２ｂ５が設けられている。このため、台形状電極部３２ａ、３２ｂが設けられた端部２０ａ２、２０ａ３における集電抵抗がより効率的に低減されている。従って、より改善された光電変換効率を実現することができる。
【００３６】
具体的に、本実施形態の太陽電池セル１０と、斜辺部が設けられていないこと以外は太陽電池セル１０と実質的に同様の構成を有する太陽電池セルとを作成し、光電変換効率を測定した。その結果、斜辺部３２ａ３，３２ａ４，３２ｂ３，３２ｂ４を有する太陽電池セル１０の方が、斜辺部が設けられていない太陽電池セルよりも約１％光電変換効率が高いことが確認された。
【００３７】
以下、本発明を実施した好ましい形態の他の例や変形例について説明する。以下の説明において、上記第１の実施形態と実質的に共通の機能を有する部材を共通の符号で参照し、説明を省略する。
【００３８】
（第１の変形例）
図６は、第１の変形例に係る太陽電池セルの受光面の略図的平面図である。
【００３９】
上記第１の実施形態では、電極２１ａ、２１ｂのそれぞれが１以上のバスバー部を有している例について説明した。但し、本発明は、この構成に限定されない。例えば、図６に示すように、電極２１ａは、バスバー部３３を含んでいなくてもよい。
【００４０】
（第２の変形例）
図７は、第２の変形例に係る太陽電池セルの受光面の略図的平面図である。
【００４１】
上記第１の実施形態では、第１及び第２の端部２０ａ２，２０ａ３のそれぞれに、台形状電極部３２ａ、３２ｂがひとつずつ設けられている例について説明した。但し、本発明は、この構成に限定されない。例えば、図７に示すように、第１の端部２０ａ２に、台形状電極部３２ａが複数ｙ方向に沿って配列されていてもよい。同様に、第２の端部２０ａ３に、台形状電極部３２ｂが複数ｙ方向に沿って配列されていてもよい。
【００４２】
また、台形状電極部３２ａ、３２ｂには、線状電極部３２ａ５，３２ｂ５が設けられていなくてもよいし、複数の線状電極部３２ａ５，３２ｂ５が設けられていてもよい。
【００４３】
（第２の実施形態）
図８は、第２の実施形態に係る太陽電池セルの受光面の略図的平面図である。
【００４４】
上記第１の実施形態では、複数の線状電極部３１の全体が透明導電膜２５ａの上に位置しており、線状電極部３１の端部が、透明導電膜２５ａの端辺に至っていない例について説明した。
【００４５】
それに対して、本実施形態では、線状電極部３１の端部は、透明導電膜２５ａの端辺に至っている。具体的には、線状電極部３１の端部は、光電変換部２０の端辺にまで至っている。このため、より改善された光電変換効率を得ることができる。以下、この理由について、図９及び図１０を参照して説明する。
【００４６】
図９に示すように、線状電極部３１の端部が透明導電膜２５ａの端辺に至っていない場合は、透明導電膜２５ａの端縁部２５ａ１で生成したキャリアが線状電極部３１により収集されるまでに移動しなければならない距離が長くなる。このため、端縁部２５ａ１における集電抵抗が高くなる。その結果、光電変換効率が低くなる傾向にある。
【００４７】
それに対して、図１０にも示すように、線状電極部３１の端部が透明導電膜２５ａの端辺に至っている場合は、端縁部２５ａ１で生成したキャリアが線状電極部３１により収集されるまでに移動しなければならない距離が短くなる。このため、端縁部２５ａ１における集電抵抗を低くすることができる。その結果、光電変換効率をさらに改善することができる。
【００４８】
具体的に、本実施形態の太陽電池セルを作製し、光電変換効率を測定した結果、線状電極部３１の端部が透明導電膜２５ａの端辺に至っている第２の実施形態の太陽電池セルの方が、線状電極部３１の端部が透明導電膜２５ａの端辺に至っていない第１の実施形態の太陽電池セル１０よりも光電変換効率が約１％高くなることが確認された。
【００４９】
（第３の変形例）
図１１は、第３の変形例に係る太陽電池セルの受光面の略図的平面図である。図１１に示すように、電極２１ａは、上底部３２ａ１、３２ｂ１、下底部３２ａ２，３２ｂ２及び線状電極部３２ａ５，３２ｂ５のそれぞれの端部から、ｘ方向に沿って延び、透明導電膜２５ａの端部にまで至る線状の電極部３２ａ６〜３２ａ１１、３２ｂ６〜３２ｂ１１をさらに備えていてもよい。この構成によれば、面取り状角部２０Ａ〜２０Ｄにおける集電抵抗をより低減できる。その結果、より改善された光電変換効率を得ることができる。
【００５０】
なお、上記第１の実施形態では、受光面２０ａ上の電極２１ａと、裏面２０ｂ上の電極２１ｂとの両方が台形状電極部を有する例について説明した。但し、本発明は、この構成に限定されない。本発明において、受光面上の電極と、裏面上の電極とのうちの少なくとも一方の電極が台形状電極部を有していればよい。従って、例えば、受光面上の電極を、台形状電極部を含むものとし、裏面上の電極を台形状電極部を含まないものとしてもよい。その場合は、例えば、裏面上の電極を平面状の電極としてもよい。
【００５１】
また、受光面上の電極及び裏面上の電極のうちの一方を、図１，６〜８または１１に示す形態の電極とし、他方を、図１，６〜８及び１１に示す形態の電極のうち、受光面上の電極とは異なる形態を有する電極としてもよい。すなわち、受光面上の電極と裏面上の電極との両方が台形状電極部を含むものの、受光面上の電極と裏面上の電極とが相互に異なる形態を有していてもよい。
【００５２】
（第３の実施形態）
図１２は、第３の実施形態に係る太陽電池モジュールの略図的断面図である。
【００５３】
上記実施形態や変形例に係る太陽電池セル１０は、図１２に示すような太陽電池モジュール１として利用することもできる。本実施形態の太陽電池モジュール１は、ｙ方向に沿って配列された複数の太陽電池セル１０を備えている。複数の太陽電池セル１０は、配線材１１によって電気的に接続されている。具体的には、隣接する太陽電池セル１０間が配線材１１によって電気的に接続されることによって、複数の太陽電池セル１０が直列または並列に電気的に接続されている。具体的には、配線材１１は、複数の線状電極部３１、上底部３２ａ１、３２ｂ１、下底部３２ａ２、３２ｂ２と交差するように配されており、これらの電極部に電気的に接続されている。また、図１及び図２に示すように、電極２１ａ、２１ｂがバスバー部３３を含む場合は、配線材１１は、バスバー部３３の上を覆うように配されている。
【００５４】
なお、本発明において、「交差」には、直交が含まれるものとする。
【００５５】
配線材１１と太陽電池セル１０とは、接着剤によって接着されている。接着剤としては、半田または樹脂接着剤を用いることができる。接着剤として樹脂接着剤を用いる場合には、樹脂接着剤は絶縁性を有するものであってもよいし、異方導電性を有するものであってもよい。
【００５６】
複数の太陽電池セル１０の受光面側及び裏面側には、第１及び第２の保護部材１４，１５が配置されている。太陽電池セル１０と第１の保護部材１４との間及び太陽電池セル１０と第２の保護部材１５との間には、封止材１３が設けられている。複数の太陽電池セル１０は、この封止材１３により封止されている。
【００５７】
なお、封止材１３並びに第１及び第２の保護部材１４，１５の材料は、特に限定されない。封止材１３は、例えば、エチレン・酢酸ビニル共重合体（ＥＶＡ）やポリビニルブチラール（ＰＶＢ）等の透光性を有する樹脂により形成することができる。
【００５８】
第１及び第２の保護部材１４，１５は、例えば、ガラス、樹脂などにより形成することができる。また、例えば、第１及び第２の保護部材１４，１５のうちの一方を、アルミニウム箔などの金属箔を介在させた樹脂フィルムにより構成してもよい。本実施形態では、第１の保護部材１４は、太陽電池セル１０の受光面側に配置されている。第１の保護部材１４は、ガラスまたは透光性樹脂からなる。
【００５９】
第２の保護部材１５は、太陽電池セル１０の裏面側に配置されている。第２の保護部材１５は、アルミニウム箔などの金属箔を介在させた樹脂フィルムにより構成されている。
第１の保護部材１４、封止材１３、複数の太陽電池セル１０、封止材１３、第２の保護部材１５を有する積層体の外周には、必要に応じて、Ａｌ等の金属製の枠体（図示しない）が取り付けられる。また、第１の保護部材１４の表面には、必要に応じて、太陽電池セル１０の出力を外部に取り出すための端子ボックスが設けられる。
【符号の説明】
【００６０】
１…太陽電池モジュール
１０…太陽電池セル
１１…配線材
１３…封止材
１４…第１の保護部材
１５…第２の保護部材
２０…光電変換部
２０Ａ〜２０Ｄ…面取り状角部
２０ａ…受光面
２０ａ１…中央部
２０ａ２…第１の端部
２０ａ３…第２の端部
２０ｂ…裏面
２１ａ，２１ｂ…電極
２５ａ、２５ｂ…透明導電膜
３１…線状電極部
３２ａ、３２ｂ…台形状電極部
３２ａ１、３２ｂ１…上底部
３２ａ２、３２ｂ２…下底部
３２ａ３，３２ａ４，３２ｂ３，３２ｂ４…斜辺部
３２ａ５，３２ｂ５…線状電極部
３３…バスバー部
【図１】
0005857237.tif 000002
【図２】
0005857237.tif 000003
【図３】
0005857237.tif 000004
【図４】
0005857237.tif 000005
【図５】
0005857237.tif 000006
【図６】
0005857237.tif 000007
【図７】
0005857237.tif 000008
【図８】
0005857237.tif 000009
【図９】
0005857237.tif 000010
【図１０】
0005857237.tif 000011
【図１１】
0005857237.tif 000012
【図１２】
0005857237.tif 000013